(57)【要約】  本発明に係るバスレフポートは、管体を備えており、前記管体の内壁面は、移動する空気と内壁面とにおける管軸方向の粘性抵抗が異なる複数の領域を有しており、前記複数の領域は、前記内壁面の周方向に沿って設けられている。
2018008472.tif 000002
【特許請求の範囲】
【請求項１】
管体を備えており、
前記管体の内壁面は、移動する空気と内壁面とにおける管軸方向の粘性抵抗が異なる複数の領域を有しており、
前記複数の領域は、前記内壁面の周方向に沿って設けられている、バスレフポート。
【請求項２】
前記複数の領域には、前記粘性抵抗が異なる材質で形成された複数の領域が含まれている、請求項１に記載のバスレフポート。
【請求項３】
前記複数の領域には、窪みまたは突起の少なくとも一方が設けられた少なくとも１つの領域が含まれている、請求項１に記載のバスレフポート。
【請求項４】
前記複数の領域には、
前記窪みまたは突起の大きさ、または、単位面積当たりに配置される前記窪みまたは突起の数が、それぞれ異なる複数の領域が含まれている、請求項３に記載のバスレフポート。
【請求項５】
前記複数の領域の少なくとも１つは、管軸方向と交差するように延びている、請求項１に記載のバスレフポート。
【請求項６】
前記複数の領域の少なくとも１つは、管軸方向に沿って波状に延びている、請求項１に記載のバスレフポート。
【請求項７】
前記複数の領域の少なくとも１つは、管軸方向に沿って周方向の幅が変化するように延びている、請求項１に記載のバスレフポート。
【請求項８】
前記複数の領域には、周方向の幅が相違する複数の領域が含まれている、請求項１に記載のバスレフポート。
【請求項９】
前記複数の領域には、管軸方向の長さ及び周方向の長さの少なくとも一方が異なる複数の領域が含まれている、請求項１に記載のバスレフポート。
【請求項１０】
前記複数の領域には、境界において前記粘性抵抗が徐々に変化するように構成された複数の領域が含まれている、請求項１に記載のバスレフポート。
【請求項１１】
開口が設けられたエンクロージャと、
前記エンクロージャ内に配置される、請求項１から１０のいずれかに記載のバスレフポートと、
を備え、
前記バスレフポートの管体の軸方向の一端部が、前記開口の周縁に固定されている、音響装置。
【発明の詳細な説明】
【技術分野】
【０００１】
この発明は、バスレフポートおよびバスレフスピーカ等の音響装置に関する。
【背景技術】
【０００２】
スピーカユニットから背面側に放射される音を利用して低音域の音量を増強するバスレフスピーカが従来から提案されている。バスレフスピーカでは、筐体（エンクロージャ）の内部と外部とを連通させるバスレフポートが設置される。バスレフスピーカでは、バスレフポートに起因する異音（ノイズ）が発生する。そこで、バスレフポートの異音を低減する技術が種々提案されている。【０００３】
特許文献１には、内壁面に複数のリブが設けられたバスレフポートが開示されている。このバスレフポートでは、リブの長さ方向がバスレフポートの全長方向となるようにバスレフポートの全長に亙って形成されたリブがバスレフポートの周方向に複数個配置されている。各リブの高さは、開口端に向かうにつれて低くなっており、各リブの頂点を通る閉曲線により囲まれた領域の面積は、開口端に向かうにつれて大きくなっている。つまり、このバスレフポートの開口部は、フレア状となっている。このバスレフポートの中央よりもやや一方の開口端寄りの位置には、各リブの間の空隙を埋めるような各リブと交差する環状の壁部が形成されている。特許文献１の技術によれば、各リブの頂点を通る略円形の閉曲線の径（すなわち、壁部の内径）を音波からみたバスレフポートの等価的な内径とみなすことができ、開口部がフレア状になっているため、風切り音を低減することができる。【０００４】
特許文献２には、バスレフポートの内壁面の全面あるいはバスレフポートの管軸方向の一部の区間における内壁面の全面を凹凸状に形成したスピーカシステムが開示されている。特許文献２の技術によれば、内壁面が平滑な従来のバスレフポートを備えたスピーカシステムに比べ、バスレフポートの内壁面における粘性抵抗が減少して空気の流れが滑らかになり、空気の流れに起因する高調波歪を減少することができる。
【先行技術文献】
【特許文献】
【０００５】
【特許文献１】特開２００３−０６１１７７号公報
【特許文献２】特開平０８−１４０１７７号公報
【発明の概要】
【発明が解決しようとする課題】
【０００６】
しかし、特許文献１および２の技術を用いても、バスレフポート内に空気が流れることでバスレフポートから発生する異音を十分に低減することができなかった。【０００７】
この発明は以上のような事情に鑑みてなされたものであり、バスレフポート内に空気が流れることで発生する異音を低減することを目的とする。
【課題を解決するための手段】
【０００８】
この発明は、管体を備えており、前記管体の内壁面は、移動する空気と内壁面とにおける管軸方向の粘性抵抗が異なる複数の領域を有しており、前記複数の領域は、前記内壁面の周方向に沿って設けられている、バスレフポートを提供する。【０００９】
この発明によるバスレフポートでは、粘性抵抗の異なる複数の領域が内壁面における周方向に設けられているため、移動する空気と内壁面とにおける管軸方向の粘性抵抗が周方向に沿って変化することとなる。本バスレフポートでは、管体の内壁面を通過する空気の移動量が、複数の領域において異なるため、これらの領域において渦が発生する位置およびタイミングが異なる。すなわち、本バスレフポートでは、渦が発生する位置およびタイミングが周方向で異なる。このように渦が発生する位置やタイミングが周方向で集中せずに分散するため、本バスレフポートでは、渦が成長するのを抑えることができ、渦に起因して発生する異音を低減することができる。すなわち、本バスレフポートを備えた音響装置によれば、バスレフポート内に空気が流れることで発生する異音を低減することができる。【００１０】
特許文献１および２の技術では、渦が発生する位置やタイミングが周方向で分散することはない。これに対し、本バスレフポートでは、上述のように渦が発生する位置やタイミングが周方向で分散し、渦が成長するのを抑えることができる。このため、本バスレフポートによれば、特許文献１および２のバスレフポートに比べ、バスレフポート内に空気が流れることでバスレフポートから発生する異音を十分に低減することができる。【００１１】
上記バスレフポートにおいて、前記複数の領域には、前記粘性抵抗が異なる材質で形成された複数の領域を含ませることができる。【００１２】
上記バスレフポートにおいて、前記複数の領域には、窪みまたは突起の少なくとも一方が設けられた少なくとも１つの領域を含ませることができる。【００１３】
上記バスレフポートにおいて、前記複数の領域には、前記窪みまたは突起の大きさ、または、単位面積当たりに配置される前記窪みまたは突起の数が、それぞれ異なる複数の領域を含ませることができる。【００１４】
上記各バスレフポートにおいて、前記複数の領域の少なくとも１つは、管軸方向と交差するように延ばすことができる。【００１５】
上記各バスレフポートにおいて、前記複数の領域の少なくとも１つは、管軸方向に沿って波状に延ばすことができる。【００１６】
上記各バスレフポートにおいて、前記複数の領域の少なくとも１つは、管軸方向に沿って周方向の幅が変化するように延ばすことができる。【００１７】
上記各バスレフポートにおいて、前記複数の領域には、周方向の幅が相違する複数の領域を含ませることができる。【００１８】
上記各バスレフポートにおいて、前記複数の領域には、管軸方向の長さ及び周方向の長さの少なくとも一方が異なる複数の領域を含ませることができる。【００１９】
上記各バスレフポートにおいて、前記複数の領域には、境界において前記粘性抵抗が徐々に変化するように構成された複数の領域を含ませることができる。【００２０】
本発明に係る音響装置は、開口が設けられたエンクロージャと、前記エンクロージャ内に配置される、上述したいずれかのバスレフポートと、を備え、前記バスレフポートの管体の軸方向の一端部が、前記開口の周縁に固定されている。
【図面の簡単な説明】
【００２１】
【図１】この発明の第１実施形態であるバスレフポート３０を含む音響装置１の構成を示す断面図である。
【図２】バスレフポート３０の構成を示す透視斜視図である。
【図３】バスレフポート３０の壁面を管軸方向に切断してバスレフポート３０を開いた展開図である。
【図４】同実施形態の比較例であるバスレフポート３００の内壁面上を空気が通過する様子を示す展開図である。
【図５】バスレフポート３０の内壁面上を空気が通過する様子を示す展開図である。
【図６】この発明の第２実施形態であるバスレフポート３０Ａの構成を示す展開図である。
【図７】バスレフポート３０Ａの内壁面上を空気が通過する様子を示す展開図である。
【図８】この発明の第３実施形態であるバスレフポート３０Ｂの構成を示す透視側面図である。
【図９】本発明に係るバスレフポートの内壁面の他の例を示す展開図である。
【図１０】本発明に係るバスレフポートの内壁面の他の例を示す展開図である。
【図１１】本発明に係るバスレフポートの内壁面の他の例を示す展開図である。
【図１２】本発明に係るバスレフポートの内壁面の他の例を示す展開図である。
【図１３】本発明に係るバスレフポートの内壁面の他の例を示す展開図である。
【図１４】本発明に係るバスレフポートの内壁面の他の例を示す断面図である。
【発明を実施するための形態】
【００２２】
以下、図面を参照し、この発明の実施形態について説明する。
＜第１実施形態＞
図１は、この発明の第１実施形態であるバスレフポート３０を含む音響装置１の構成を示す断面図である。音響装置１は、外部装置から供給される音響信号に応じた音を放射する装置であり、具体的には、バスレフスピーカである。音響装置１は、音響装置１の筐体であるエンクロージャ１０、振動板やボイスコイル等からなるスピーカユニット２０およびバスレフポート３０を有する。
【００２３】
エンクロージャ１０は、複数の板材で構成された中空の構造体（典型的には直方体）である。エンクロージャ１０を構成する複数の板材のうちの板材１２には、スピーカユニット２０が固定されている。この板材１２は、バッフル面として機能する。板材１２には、板材１２を貫通する円形の開口１４が設けられている。本実施形態におけるエンクロージャ１０は複数の板材で構成されているが、エンクロージャ１０は射出成型等による樹脂成型品であっても良い。また、本実施形態では、音響装置１においてバッフル面として機能する板材（すなわち、板材１２）に開口１４が設けられているが、エンクロージャ１０の背面や側面など、バッフル面以外の面に開口１４を設けても良い。また、開口１４の形状は円形には限定されず、他の形状であっても良い。
【００２４】
バスレフポート３０は、中空の略円筒状の管体により構成されており、エンクロージャ１０内に配置される。バスレフポート３０の軸方向の両端は、開口している。バスレフポート３０の一方の開口端は板材１２の開口１４の周縁に固定されている。バスレフポート３０の他方の開口端は、エンクロージャ１０内において開口している。エンクロージャ１０内の空間とエンクロージャ１０外の空間は、バスレフポート３０および開口１４を介して繋がっている。このため、エンクロージャ１０内外の空気は、スピーカユニット２０の振動板の振動に応じてバスレフポート３０内を通過する。
【００２５】
図２は、バスレフポート３０の構成を示す透視斜視図である。バスレフポート３０は、その一端から他端に亙って内径および外径が略一定に維持された円筒形状（以下、直管形状と呼ぶ）の管状部材である。本明細書では、バスレフポート３０における管の中心となる線を管軸と呼ぶ。図３は、バスレフポート３０の壁面を管軸方向に切断してバスレフポート３０を開いた展開図である。図３では、バスレフポート３０の内壁面側が示されている。
【００２６】
バスレフポート３０の内壁面における周方向の一部には、バスレフポート３０の一端から他端に亙って広がるシート状部材３２が固定されている。換言すると、バスレフポート３０では、その内壁面においてシート状部材３２が設けられた領域とシート状部材３２が設けられていない領域とがバスレフポート３０の周方向に交互に繰り返されている。以下では、シート状部材３２が設けられた領域を第１領域、シート状部材３２が設けられていない領域を第２領域と称することとする。図２および図３では、シート状部材３２が斜線のハッチングで強調されている。図２および図３の例では、３枚のシート状部材３２がバスレフポート３０の周方向に１２０度間隔で離散的に設けられている。各シート状部材３２におけるバスレフポート３０の周方向の長さ（幅）は、例えば、バスレフポート３０の内周を６等分した長さとなっている。すなわち、図２および図３の例のバスレフポート３０では、第１領域と第２領域とがバスレフポート３０の周方向に６０度毎に繰り返されている。
【００２７】
バスレフポート３０の壁面は、例えば、合成樹脂などによって構成される。上述のように、バスレフポート３０では、シート状部材３２がバスレフポート３０の内壁面の全体ではなく内壁面における周方向の一部に設けられている。このため、シート状部材３２が設けられていない第２領域は、バスレフポート３０における合成樹脂などによる壁面の一部が露出した領域である。
【００２８】
シート状部材３２が設けられた第１領域は、移動する空気と内壁面とにおける管軸方向の粘性抵抗（以下、単に管軸方向の粘性抵抗ということがある）が、第２領域（具体的には合成樹脂などによる壁面の一部が露出した領域）とは異なる領域である。本実施形態における管軸方向の粘性抵抗は、管軸方向に移動する空気とバスレフポート３０の内壁面との間で作用して空気の移動を妨げるように働くものである。このことから、管軸方向の粘性抵抗のことを空気と内壁面との間の管軸方向の動摩擦抵抗や管軸方向の空気の移動の妨げ量というように表現することもできる。
【００２９】
シート状部材３２は、バスレフポート３０の壁面を構成する材質（例えば合成樹脂）よりも管軸方向の粘性抵抗が大きな材質で構成される。例えば、シート状部材３２は、フェルトによって構成される。すなわち、第１領域は、第２領域を構成する材質よりも、管軸方向の粘性抵抗が大きな材質で構成されている。
以上が、バスレフポート３０を含む音響装置１の構成である。
【００３０】
次に、本実施形態のバスレフポート３０における作用を、比較例を用いて説明する。図４は、本実施形態の比較例であるバスレフポート３００の内壁面上を空気が通過する様子を示す展開図である。図４には、比較例に係るバスレフポート３００の内壁面上を空気が通過する様子が矢印Ａ１００によって示されている。このバスレフポート３００の壁面は、合成樹脂などによって構成されており、内壁面の全てにおいて、粘性抵抗が一定である。
【００３１】
比較例であるバスレフポート３００では、内壁面上を通過する空気と内壁面との間に作用する粘性抵抗が内壁面全体で一様となっている。これにより、バスレフポート３００内に入った空気は、周方向の各位置においてほぼ同じタイミングで出口側端付近のエリアＢ１００に到達する。このため、このバスレフポート３００では、空気が内壁面から剥離するタイミングが周方向で同じになり、空気が内壁面から剥離する管軸方向の位置が周方向で同じになる。すなわち、このバスレフポート３００では、空気が内壁面から剥離して渦が発生する位置およびタイミングが周方向で揃う。このため、このバスレフポート３００では、発生する渦が強い乱れの渦に成長する。その結果、このバスレフポート３００では、ノイズレベルの大きな異音が発生する。以上、比較例であるバスレフポート３００について説明したが、特許文献１および２のバスレフポートについても、基本的にはバスレフポート３００と同様に作用する。
【００３２】
次に、本実施形態のバスレフポート３０における作用を説明する。図５は、本実施形態のバスレフポート３０の内壁面上を空気が通過する様子を示す展開図である。図５には、シート状部材３２が設けられた第１領域上を通過する空気の様子が矢印Ａ２０によって示されており、シート状部材３２が設けられていない第２領域上を通過する空気の様子が矢印Ａ１０によって示されている。
【００３３】
本実施形態のバスレフポート３０では、第１領域における管軸方向の粘性抵抗が、第２領域における管軸方向の粘性抵抗よりも大きいため、第１領域上を通過する空気の移動量と第２領域上を通過する空気の移動量が異なる。具体的には、バスレフポート３０の内壁面における第２領域上を通過する空気は、比較例であるバスレフポート３００と同様に、比較的滑らかに通過する。一方、第１領域では、シート状部材３２による粘性抵抗の影響を受けて、第２領域上を通過する空気に比べて、その第１領域上を通過する空気の流速が、第１領域上を進むに応じて低下する。これにより、バスレフポート３０では、第２領域上を通過した空気が出口側端付近のエリアＢ１０に到達した後に、第１領域上を通過した空気が出口側端付近のエリアＢ２０に到達する。このことから、バスレフポート３０では、第１領域において空気が内壁面から剥離して渦が発生するタイミングが、第２領域において空気が内壁面から剥離して渦が発生するタイミングに比べて早くなる。そして、第２領域では、第１領域に比べ、相対的に管軸方向の出口側端寄りの位置において空気が内壁面から剥離して渦が発生する。一方、第１領域では、第２領域に比べ、相対的に管軸方向の中央寄りの位置において空気が内壁面から剥離して渦が発生する。すなわち、本実施形態のバスレフポート３０では、空気が内壁面から剥離して渦が発生する位置およびタイミングが周方向で異なる。
【００３４】
本実施形態のバスレフポート３０では、渦が発生する位置およびタイミングが周方向で集中せずに分散するため、渦が成長するのを抑えることができる。その結果、渦に起因する異音のノイズレベルが低減される。すなわち、バスレフポート３０を備えた音響装置１によれば、バスレフポート３０内に空気が流れることで発生する異音を低減することができる。
【００３５】
また、バスレフポート３０では、渦が発生する位置およびタイミングが周方向で異なるため、空気の流れの乱れの位相が周方向に沿ってずれることとなり、様々な位相の渦が重ね合されて相互に打ち消し合う。この点からも、バスレフポート３０では、渦が成長するのを抑えることができ、渦に起因して発生する異音を低減することができる。
【００３６】
また、バスレフポート３０では、シート状部材３２がバスレフポート３０の一端から他端に亙って広がっている。このため、バスレフポート３０では、シート状部材３２によって管軸方向の空気の移動を十分に妨げることができる。
【００３７】
図２および図３の例のバスレフポート３０では、３枚のシート状部材３２がバスレフポート３０の周方向に１２０度間隔で離散的に設けられていた。しかし、バスレフポート３０では、シート状部材３２が周方向で離散的に配置されれば良く、シート状部材３２の枚数は３枚に限らず、シート状部材３２の間隔は１２０度間隔に限らない。
【００３８】
＜第２実施形態＞
図６は、この発明の第２実施形態であるバスレフポート３０Ａの壁面を管軸方向に切断してバスレフポート３０Ａを開いた展開図である。本実施形態のバスレフポート３０Ａは、第１実施形態のバスレフポート３０と同様に、音響装置に取り付けられる。
【００３９】
バスレフポート３０Ａは、シート状部材３２に代えて複数の窪み部３４Ａおよび複数の窪み部３５Ａを有する点において第１実施形態のバスレフポート３０と異なる。窪み部３４Ａおよび３５Ａは、バスレフポート３０の内壁面に設けられた丸い窪みである。窪み部３４Ａの大きさ（具体的には径や深さ）は、窪み部３５Ａの大きさよりも大きい。
【００４０】
バスレフポート３０Ａでは、内壁面における周方向の一部に複数の窪み部３４Ａが設けられており、内壁面における周方向の他の一部に複数の窪み部３５Ａが設けられている。複数の窪み部３４Ａの各々は、概ねバスレフポート３０の一端から他端に亙って管軸方向に並べられている。図６の例では、複数の窪み部３４Ａの各々は、周方向に２行、管軸方向に４列のマトリクス状に並べられている。複数の窪み部３５Ａも複数の窪み部３４Ａと同様である。
【００４１】
以下では、窪み部３４Ａが設けられた領域（図６の例では、複数の窪み部３４Ａが２行４列のマトリクス状に並べられた領域）を第１領域と称し窪み部３５Ａが設けられた領域（図６の例では、複数の窪み部３５Ａが２行４列のマトリクス状に並べられた領域）を第２領域と称することとする。バスレフポート３０Ａでは、第１領域および第２領域が周方向に交互に配置されている。第１領域における管軸方向の粘性抵抗および第２領域における管軸方向の粘性抵抗は、従来のバスレフポートの内壁面のような平滑な面（窪み部３４Ａおよび３５Ａが無いとした場合の面）における管軸方向の粘性抵抗よりも小さい。また、第２領域における管軸方向の粘性抵抗は、第１領域における管軸方向の粘性抵抗よりも小さい。
【００４２】
図７は、バスレフポート３０Ａの内壁面上を空気が通過する様子を示す展開図である。図７には、窪み部３４Ａが設けられた第１領域上を通過する空気の様子が矢印Ａ３０によって示されており、窪み部３５Ａが設けられた第２領域上を通過する空気の様子が矢印Ａ４０によって示されている。
【００４３】
第１領域を通過する空気は、窪み部３４Ａの影響を受けて、出口側の端部における中央寄りのエリアＢ３０において内壁面から剥離する。一方、第２領域を通過する空気は、窪み部３５Ａの影響を受けて、出口側の端部における出口寄りのエリアＢ４０において内壁面から剥離する。このように、第１領域と第２領域とでは、空気が内壁面から剥離して渦が発生する位置およびタイミングが異なる。
【００４４】
以上のように、バスレフポート３０Ａでは、内壁面における周方向において、移動する空気と内壁面とにおける管軸方向の粘性抵抗が異なる第１領域および第２領域の各々が交互に配置されている。このため、本実施形態のバスレフポート３０Ａにおいても、第１実施形態のバスレフポート３０と同様に、渦が発生する位置およびタイミングが周方向で異なる。従って、本実施形態においても、第１実施形態と同様の効果が得られる。
【００４５】
本実施形態のバスレフポート３０Ａでは、内壁面における周方向において、管軸方向の粘性抵抗が異なる２種類の領域（窪み部３４Ａによる第１領域および窪み部３５Ａによる第２領域）の各々が配置されていた。しかし、周方向において配置される粘性抵抗領域の種類は、２種類に限らず、３種類以上であっても良い。すなわち、第１領域および第２領域とは大きさが異なる窪み部が設けられた領域をさらに設けることもできる。
【００４６】
バスレフポート３０Ａにおいて、第１領域内の窪み部３４Ａの数および第２領域内の窪み部３５Ａの数は、図６に例示する数に限らない。
【００４７】
本実施形態のバスレフポート３０Ａでは、第１領域および第２領域に、それぞれ、窪み部３４Ａおよび３５Ａが設けられていた。しかし、バスレフポート３０Ａにおいて、窪み部３４Ａおよび３５Ａに代えて、それらが設けられていた位置にそれらの径と同程度の径の突起部を設けても良い。この態様においても、管軸方向に並んだ大きな突起部による影響と、管軸方向に並んだ小さな突起部による影響とが異なるため、空気が内壁面から剥離して渦が発生する位置およびタイミングが周方向で異なる。従って、この態様においても、本実施形態と同様の効果が得られる。また、バスレフポート３０Ａにおいて、管軸方向に窪み部が並んだ領域と管軸方向に突起部が並んだ領域とが混在していても良い。また、バスレフポート３０Ａでは、窪み部３４Ａおよび３５Ａがマトリクス状に整然と並べられていた。しかし、窪み部３４Ａおよび３５Ａは、マトリクス状に並べられていなくても良く、ランダムに並べられていても良い。突起部の場合も同様である。すなわち、バスレフポートの内壁面の周方向に沿って設けられる領域の少なくとも一部は、窪み部または突起部の少なくとも一方が設けられた領域であれば良い。
【００４８】
本実施形態のバスレフポート３０Ａでは、窪み部３４Ａの大きさと窪み部３５Ａの大きさを変えることで管軸方向の粘性抵抗を周方向で変えていた。しかし、バスレフポート３０Ａにおいて、第１領域の単位面積当たりに配置される窪み部の数（すなわち窪み部の密度）と第２領域の単位面積当たりに配置される窪み部の数とを異ならせるという具合に、単位面積当たりに配置される突起部の数を周方向で異ならせても良い。この場合、第１領域の窪み部の大きさと第２領域の窪み部の大きさは同じであっても良い。また、上述の窪み部の密度と同様にして、単位面積当たりに配置される突起部の数（すなわち突起部の密度）を周方向で異ならせても良い。これらの態様においても、本実施形態と同様の効果が得られる。
【００４９】
＜第３実施形態＞
図８は、この発明の第３実施形態であるバスレフポート３０Ｂの構成を示す透視側面図である。本実施形態のバスレフポート３０Ｂは、第１実施形態のバスレフポート３０と同様に、音響装置に取り付けられる。
【００５０】
バスレフポート３０Ｂの両端部は、バスレフポート３０Ｂの内壁面によって包囲された領域の面積が開口端に進むに従って広がるフレア形状になっている。バスレフポート３０Ｂの中央部は、バスレフポート３０Ｂの内壁面によって包囲された領域の面積が管軸に沿って略一定に維持された直管形状になっている。
【００５１】
第１実施形態のバスレフポート３０では、管軸に沿った全長に亙ってシート状部材３０が設けられていた。これに対して、本実施形態のバスレフポート３０Ｂは、管軸方向の一部の区間の内壁面における周方向の一部にシート状部材３２Ｂが設けられている。具体的には、フレア形状になっている両端部のうちの一方の端部（図８における右側の端部）にシート状部材３２Ｂが設けられている。シート状部材３２Ｂは、第１実施形態のシート状部材３２と同様に、フェルトなどによって構成され、粘性抵抗が他の領域とは異なる領域を画定する。シート状部材３２Ｂは、当該一方の端部において直管形状とフレア形状との境界から開口端に亙って管軸に沿って螺旋を描くように設けられている。直管形状とフレア形状との境界から開口端に亙ってシート状部材３２Ｂが設けられているため、バスレフポート３０Ｂにおいても、管軸方向の空気の移動がシート状部材３２Ｂによって十分に妨げられる。
【００５２】
以上のように、バスレフポート３０Ｂは、異なる粘性抵抗を形成するシート状部材３２Ｂがバスレフポート３０Ｂの内壁面における周方向の一部に設けられている点において第１実施形態のバスレフポート３０と同様である。このため、バスレフポート３０Ｂでは、バスレフポート３０と同様に、シート状部材３２Ｂの影響を受けて、渦が発生する位置およびタイミングが周方向で異なる。従って、本実施形態においても、第１実施形態と同様の効果が得られる。
【００５３】
本実施形態のバスレフポート３０Ｂでは、フレア形状の一方の端部のみにシート状部材３２Ｂが設けられていた。しかし、バスレフポート３０Ｂにおいて内壁面における周方向の一部にシート状部材３２Ｂが設けられていれば良く、シート状部材３２Ｂがフレア形状の両方の端部に設けられても良いし、シート状部材３２Ｂが直管形状の中央部のみに設けられても良いし、シート状部材３２Ｂがフレア形状の一方の端部と直管形状の中央部とに設けられても良いし、シート状部材３２Ｂがフレア形状の両方の端部と直管形状の中央部とに設けられても良い。
【００５４】
バスレフポート３０Ｂでは、シート状部材３２Ｂが管軸に沿って螺旋を描くように設けられていた。しかし、バスレフポート３０Ｂのフレア形状の一方の端部において、シート状部材３２が開口端に進むに従って単純な放射線状を描くように設けられても良い。
【００５５】
＜他の実施形態＞
以上、この発明の第１〜第３実施形態について説明したが、この発明には他にも実施形態が考えられる。例えば次の通りである。
【００５６】
（１）各実施形態の技術的特徴を適宜組み合わせても良い。例えば、第１実施形態のバスレフポート３０において、管軸方向の粘性抵抗が異なる複数種のシート状部材の各々を内壁面における周方向に交互に固定しても良い。また、例えば、第２実施形態のバスレフポート３０Ａにおいて、窪み部３４Ａが設けられた領域と、窪み部３５Ａが設けられた領域と、窪み部３４Ａおよび３５Ａのいずれも設けられていない領域とを周方向に交互に配置しても良い。
【００５７】
（２）本発明に係るバスレフポートでは、管体の内壁面の管軸方向の少なくとも一部において、上述した粘性抵抗の異なる領域が周方向に並ぶように配置されていればよい。また、粘性抵抗の異なる領域は、周方向に３以上設けられていてもよい。したがって、上記各領域の態様は、上記実施形態以外にも種々の態様が考えられる。以下、図９〜図１２は、管体の内壁面の一部展開図である。例えば、図９に示すように、粘性抵抗の高い第１領域５０と粘性抵抗の低い第２領域６０が、管軸方向Ｘと交差するように、つまり内壁面において斜めに延びるように配置することができる。
【００５８】
また、図１０に示すように、粘性抵抗の高い第１領域５０が、管軸方向に沿って波状に延びるように配置することもできる。図１１に示すように、管軸方向に沿って第１領域５０の周方向の幅が変化するように形成することもできる。このように、複数の領域の形状は特には限定されず、上記各実施形態のような矩形状ののみならず、多角形状、円形状、など種々の形状にすることができる。
【００５９】
また、図１２に示すように、複数の第１領域５０Ａ，５０Ｂを設ける場合、周方向の幅が異なる複数の第１領域を設けることもできる。また、複数の第１領域の間の領域、つまり第２領域６０の周方向の幅を変化させることもできる。あるいは、図１３に示すように、管軸方向および周方向において、複数の第１領域をランダムに設けることもできる。すなわち、管軸方向の長さ、及び周方向の長さがそれぞれ異なる第１領域５０Ａ，５０Ｂ，５０Ｃをランダムに設けることもできる。
【００６０】
上記の例では、周方向において粘性抵抗の異なる領域が離散的に設けられている。例えば、第１領域と第２領域との境界で粘性抵抗が変化するが、境界において粘性抵抗が徐々に変化するように形成することもできる。例えば、図１４は、管体のある断面を示している。この管体は、肉厚が一定ではなく、内壁面が波状に変化するように形成されている。より詳細には、基準円Ｄよりも肉厚が厚い部分が第１領域５０を示し、肉厚が薄い部分が第２領域６０を示している。これにより、隣接する第１領域５０と第２領域５０との境界において、粘性抵抗が徐々に変化するように形成することができる。また、各領域５０，６０内でも粘性抵抗が徐々に変化するように形成することもできる。なお、以上説明した各領域の形状は適宜組み合わせて混在させることができる。
【００６１】
（３）各領域において、粘性抵抗を相違させるには、上述したように、管体の内壁面や材質や形状を変化させればよく、上記説明以外の方法であってもよい。すなわち、粘性抵抗は、内壁面の材質や形状の相違、例えば、管体の内壁面の粗さ、表面粗さ（算術平均粗さなど）、凹凸の変化などによって相違させることができる。
【００６２】
（４）各形態の音響装置として市場に提供するだけでなく、各形態の音響装置に採用されるバスレフポート単体で市場に提供しても良い。バスレフポートを音響装置に取り付けることで各形態の音響装置を実現することができるからである。また、各形態の音響装置を電子鍵盤楽器などの楽器に搭載して市場に提供しても良い。
【符号の説明】
【００６３】
１…音響装置、１０…エンクロージャ、１２…板材、１４…開口、２０…スピーカユニット、３０，３０Ａ，３０Ｂ…バスレフポート、３２，３２Ｂ…シート状部材、３４Ａ，３５Ａ…窪み部。
【図１】
2018008472.tif 000003
【図２】
2018008472.tif 000004
【図３】
2018008472.tif 000005
【図４】
2018008472.tif 000006
【図５】
2018008472.tif 000007
【図６】
2018008472.tif 000008
【図７】
2018008472.tif 000009
【図８】
2018008472.tif 000010
【図９】
2018008472.tif 000011
【図１０】
2018008472.tif 000012
【図１１】
2018008472.tif 000013
【図１２】
2018008472.tif 000014
【図１３】
2018008472.tif 000015
【図１４】
2018008472.tif 000016
【手続補正書】
【提出日】平成30年12月11日(2018.12.11)
【手続補正１】
【補正対象書類名】明細書
【補正対象項目名】００６０
【補正方法】変更
【補正の内容】
【００６０】
上記の例では、周方向において粘性抵抗の異なる領域が離散的に設けられている。例えば、第１領域と第２領域との境界で粘性抵抗が変化するが、境界において粘性抵抗が徐々に変化するように形成することもできる。例えば、図１４は、管体のある断面を示している。この管体は、肉厚が一定ではなく、内壁面が波状に変化するように形成されている。より詳細には、基準円Ｄよりも肉厚が厚い部分が第１領域５０を示し、肉厚が薄い部分が第２領域６０を示している。これにより、隣接する第１領域５０と第２領域６０との境界において、粘性抵抗が徐々に変化するように形成することができる。また、各領域５０，６０内でも粘性抵抗が徐々に変化するように形成することもできる。なお、以上説明した各領域の形状は適宜組み合わせて混在させることができる。
【国際調査報告】
2018008472.tif 000017
2018008472.tif 000018